(57)【要約】【課題】配線作業の作業性の向上を図ること。【解決手段】誘導灯器具１の筐体１０は、点灯ブロック２２が収容される第１収容部１０Ａと、駆動ブロック４が収容される第２収容部１０Ｂと、第１配線部１０Ｃと、第２配線部１０Ｄとを有する。第１配線部１０Ｃには、第１端子台７１及び第１端子台７１の一次側に接続される第１電線Ｌ１が配置される。第２配線部１０Ｄには、第１端子台７１の二次側と点灯ブロック２２及び駆動ブロック４の各々とを繋ぐ第２電線Ｌ２が配置される。第１配線部１０Ｃは、第１の方向から見たときに、第１収容部１０Ａ及び第２収容部１０Ｂの並び方向と交差する第２の方向における第１収容部１０Ａ及び第２収容部１０Ｂよりも一方の側に配置される。【選択図】図３
2019106268.tif 000002
【特許請求の範囲】
【請求項１】
光源と、
前記光源により照らされる表示板と、
前記光源を点灯制御する点灯ブロックと、
誘導機能を有する機能部と、
特定の事象が発生したときに前記機能部を駆動する駆動ブロックと、
端子台と、
少なくとも前記点灯ブロック、前記駆動ブロック及び前記端子台を収容する筐体と
を備え、
前記筐体は、開放された一面を有する本体と、前記一面を覆うプレートと、を有し、
前記表示板は、その表示面が前記プレートから露出するように前記筐体に支持され、
前記筐体は、前記本体内において、
前記点灯ブロックが収容される第１収容部と、
前記駆動ブロックが収容される第２収容部と、
前記端子台、及び前記端子台の一次側に接続される第１電線が配置される第１配線部と、
前記端子台の二次側と前記点灯ブロック及び前記駆動ブロックの各々とを繋ぐ第２電線が配置される第２配線部と
を有し、
前記第１収容部及び前記第２収容部は、前記本体の前記一面と交差する第１の方向から見たときに並んで配置され、
前記第１配線部は、前記第１の方向から見たときに、前記第１収容部及び前記第２収容部が並ぶ並び方向と交差する第２の方向における前記第１収容部及び前記第２収容部よりも一方の側に配置される
ことを特徴とする誘導灯器具。
【請求項２】
前記端子台は、
前記第２電線が導出される導出口を有し、
前記導出口が前記第１配線部の縁の側を向くように配置されている
ことを特徴とする請求項１に記載の誘導灯器具。
【請求項３】
前記第１収容部及び前記第２収容部は、前記第１の方向から見たときに互いに隙間を空けて並んで配置され、
前記第２配線部の少なくとも一部は、前記隙間に配置されている
ことを特徴とする請求項１又は２に記載の誘導灯器具。
【請求項４】
前記筐体は、前記第２配線部に配置される前記第２電線が前記第１配線部へ入り込むことを規制する壁部を、更に有し、
前記壁部は、前記第２配線部の前記一部と前記第１配線部との間に配置されている
ことを特徴とする請求項３に記載の誘導灯器具。
【請求項５】
前記端子台である第１端子台に加えて、前記第１配線部に配置されて信号線が接続される第２端子台を、更に備え、
前記筐体は、当該誘導灯器具を構造体へ取り付けるための一対の取付ボルトがそれぞれ挿入される一対の孔を、更に有し、
前記第１配線部は、前記第１の方向から見たときに、前記第１収容部、前記第２収容部、及び前記一対の孔に挿入された前記一対の取付ボルトによって囲まれる
ことを特徴とする請求項１〜４のいずれか１項に記載の誘導灯器具。
【発明の詳細な説明】
【技術分野】
【０００１】
本発明は、一般に、誘導灯器具に関し、より詳細には、建物の避難口を表示する表示板を備えた誘導灯器具に関する。
【背景技術】
【０００２】
従来例として、特許文献１に記載の誘導灯を例示する。この誘導灯は、天井面又は垂直な壁面等の設置面に設置されて使用される、誘導音付加点滅形の誘導灯である。非常時には、音声とキセノンランプ等の点滅によって、避難口の位置、及び避難方向を的確に知らせ、誘導を行うものである。
【０００３】
誘導灯は、ケース本体と、ケース本体の開口部を覆うように取り付けられた表示体及び前面パネルと、点滅表示部とを備えている。表示体は、導光板と、当該導光板の表面側に誘導表示として人が避難している状態を示すピクトグラムが表示された表示パネルを有している。またケース本体の内側には、電気部品取付シャーシが配設されている。この電気部品取付シャーシには、光源ユニット、点灯ユニット、点灯ユニットに接続されたバッテリ、点滅表示部が設けられた点滅ユニット、点滅表示部用電源ユニットが取り付けられている。また、電源用端子台、及び信号用端子台が取り付けられている。
【先行技術文献】
【特許文献】
【０００４】
【特許文献１】特開２０１０−２５７７２４号公報
【発明の概要】
【発明が解決しようとする課題】
【０００５】
ところで、誘導灯の施工時に、施工者は、外部からの電源線等の電線をケース本体内に引き込み、ケース本体内において電線の端子台への結線、並びに電線の引き回しといった、配線作業が発生する。しかし、特許文献１に記載の誘導灯では、ケース本体内において、配線作業を行うための必要十分な大きさのスペースが確保されているとは言えなかった。施工者は、ケース本体内において、光源ユニット、点灯ユニット、バッテリ、点滅ユニット及び電源ユニット等が配置されていない、分散的な幾つかの隙間を利用して配線作業を行うしかなかった。
【０００６】
本発明は上記事由に鑑みてなされ、配線作業の作業性の向上を図ることができる誘導灯器具を提供することを目的とする。
【課題を解決するための手段】
【０００７】
本発明の一態様に係る誘導灯器具は、光源と、表示板と、点灯ブロックと、機能部と、駆動ブロックと、端子台と、筐体と、を備える。前記表示板は、前記光源により照らされる。前記点灯ブロックは、前記光源を点灯制御する。前記機能部は、誘導機能を有する。前記駆動ブロックは、特定の事象が発生したときに前記機能部を駆動する。前記筐体は、少なくとも前記点灯ブロック、前記駆動ブロック及び前記端子台を収容する。前記筐体は、開放された一面を有する本体と、前記一面を覆うプレートと、を有する。前記表示板は、その表示面が前記プレートから露出するように前記筐体に支持される。前記筐体は、前記本体内において、第１収容部と、第２収容部と、第１配線部と、第２配線部とを有する。前記第１収容部には、前記点灯ブロックが収容される。前記第２収容部には、前記駆動ブロックが収容される。前記第１配線部には、前記端子台、及び前記端子台の一次側に接続される第１電線が配置される。前記第２配線部には、前記端子台の二次側と前記点灯ブロック及び前記駆動ブロックの各々とを繋ぐ第２電線が配置される。前記第１収容部及び前記第２収容部は、前記本体の前記一面と交差する第１の方向から見たときに並んで配置される。前記第１配線部は、前記第１の方向から見たときに、前記第１収容部及び前記第２収容部が並ぶ並び方向と交差する第２の方向における前記第１収容部及び前記第２収容部よりも一方の側に配置される。
【発明の効果】
【０００８】
本発明は、配線作業の作業性の向上を図ることができる、という利点がある。
【図面の簡単な説明】
【０００９】
【図１】図１は、実施形態に係る誘導灯器具、及び、当該誘導灯器具が取り付けられた構造体の斜視図である。
【図２】図２は、同上の誘導灯器具の分解斜視図である。
【図３】図３は、同上の誘導灯器具の平面図であって、誘導灯器具からプレート、及び表示板が取り外された状態を示す図である。
【図４】図４は、同上の誘導灯器具の要部平面図である。
【図５】図５は、同上の誘導灯器具の取付台の斜視図である。
【図６】図６は、同上の誘導灯器具を右側から見た斜視図であって、筐体の取付構造を説明するための図である。
【図７】図７は、同上の誘導灯器具の左側面図である。
【図８】図８は、同上の誘導灯器具の変形例１の斜視図である。
【図９】図９は、同上の誘導灯器具の変形例２の斜視図である。
【図１０】図１０は、同上の変形例２の平面図であって、誘導灯器具からプレート、及び表示板が取り外された状態を示す図である。
【図１１】図１１は、同上の誘導灯器具の変形例３の斜視図である。
【図１２】図１２は、同上の誘導灯器具の変形例４の斜視図である。
【図１３】図１３は、同上の誘導灯器具の変形例５の斜視図である。
【発明を実施するための形態】
【００１０】
（１）概要
以下の実施形態は、本発明の様々な実施形態の一つに過ぎない。以下の実施形態は、本発明の目的を達成できれば、設計等に応じて種々の変更が可能である。また、以下の実施形態において説明する図１〜図１３は、模式的な図であり、図１〜図１３中の各構成要素の大きさや厚さそれぞれの比が、必ずしも実際の寸法比を反映しているとは限らない。
【００１１】
以下では、実施形態の誘導灯器具１の上下、左右、前後の方向を、図１にそれぞれ図示されている上下、左右、前後の矢印を用いて規定して説明する。これらの矢印は、単に説明を補助する目的で記載しているに過ぎず、実体を伴わない。また、これらの方向は、誘導灯器具１の使用方向を限定する趣旨ではない。
【００１２】
本実施形態の誘導灯器具１は、図１に示すように、建物等の避難口を表示するための避難口誘導灯器具である。誘導灯器具１は、誘導灯信号装置（不図示）から信号を受けた場合に誘導効果を高めるために光源（図３参照：光源装置３のＬＥＤ（Light Emitting Diode）３０）を点滅させる点滅形避難口誘導灯器具として構成されている。誘導灯器具１は、例えば、建物の天井材又は壁材等に相当する構造体Ｔ１に対して取り付けられる。ここでは、誘導灯器具１は、構造体Ｔ１に直付けさられる直付形の器具であることを想定するが、壁材に埋め込まれる埋込形の器具でもよい。
【００１３】
誘導灯器具１は、図２に示すように、光源（第１光源）と、表示板２０と、点灯ブロック２２と、機能部と、駆動ブロック４と、端子台（第１端子台７１）と、筐体１０と、を備える。ここでは、光源（第１光源）は、例えば固体光源である発光ダイオード２１１（図３参照：以下、ＬＥＤ２１１と呼ぶ）である。
【００１４】
表示板２０は、ＬＥＤ２１１により照らされる。表示板２０は、表示面（前面）を有しており、その表示面に誘導表示として人が避難している状態を示すピクトグラムが表示されている。点灯ブロック２２は、ＬＥＤ２１１を点灯制御するように構成される。機能部は、誘導機能を有する。ここでは、機能部は、例えば、点灯又は点滅駆動される光源装置３のＬＥＤ３０（第２光源）、及び／又は、誘導音声を出力するスピーカ８に相当する。駆動ブロック４は、特定の事象が発生したときに上記機能部を駆動するように構成される。ここで言う「特定の事象の発生」とは、例えば、非常時、すなわち誘導灯信号装置から信号を受けたとき、あるいは、点検用の第２スイッチブロック１７が操作されたとき等である。
【００１５】
筐体１０は、少なくとも点灯ブロック２２、駆動ブロック４及び第１端子台７１を収容する。筐体１０は、開放された一面（前面）を有する本体１００と、本体１００の前面を覆うプレート１０１と、を有する。表示板２０は、その表示面がプレート１０１から露出するように筐体１０に支持される。ここで、本実施形態の筐体１０は、本体１００内において、第１収容部１０Ａと、第２収容部１０Ｂと、第１配線部１０Ｃと、第２配線部１０Ｄとを有している（図３参照）。第１収容部１０Ａ、第２収容部１０Ｂ、第１配線部１０Ｃ、及び第２配線部１０Ｄは、実体を持った構造体ではなく、空間的な部位として設けられている。したがって、図３では、目安として、本体１００の前方から見たときのこれらの境界線を想像線（一点鎖線）で示している。
【００１６】
第１収容部１０Ａには、点灯ブロック２２が収容される。第２収容部１０Ｂには、駆動ブロック４が収容される。第１配線部１０Ｃには、第１端子台７１、及び第１端子台７１の一次側に接続される第１電線Ｌ１（図４参照）が配置される。第２配線部１０Ｄには、第１端子台７１の二次側と点灯ブロック２２及び駆動ブロック４の各々とを繋ぐ第２電線Ｌ２（図４参照）が配置される。ここでは、第１電線Ｌ１及び第２電線Ｌ２が電源線であることを想定する。言い換えると、第１端子台７１は、電源用の端子台であることを想定する。ただし、第１電線Ｌ１及び第２電線Ｌ２が信号線で、第１端子台７１は、信号用の端子台であってもよい。
【００１７】
第１収容部１０Ａ及び第２収容部１０Ｂは、本体１００の一面（前面）と交差する第１の方向（例えば前後方向）から見たときに並んで配置される。ここでは、これらの並び方向が、左右方向に相当する。そして、第１配線部１０Ｃは、上記第１の方向から見たときに、並び方向（左右方向）と交差する第２の方向（例えば上下方向）における第１収容部１０Ａ及び第２収容部１０Ｂよりも一方の側に配置される。実際に誘導灯器具１が構造体Ｔ１に取り付けられた状態では、ここで言う「一方の側」は、例えば「上側」に相当する。
【００１８】
この構成によれば、例えば誘導灯器具１の施工時に、プレート１０１が外された状態で外部から筐体１０内に引き込まれた第１電線Ｌ１の第１端子台７１の一次側への結線、並びに第１電線Ｌ１の引き回しにおいて、第１配線部１０Ｃを利用することができる。また、第１端子台７１の二次側に繋がれた第２電線Ｌ２は、第１配線部１０Ｃとは分離された第２配線部１０Ｄに配置されている。そのため、第１電線Ｌ１と第２電線Ｌ２とが、筐体１０内で絡み合う可能性を低減できる。言い換えると、第１電線Ｌ１の配線作業時に、第２電線Ｌ２が邪魔になり難くなり、配線作業が容易となる。
【００１９】
また、第１配線部１０Ｃが、左右に並んだ第１収容部１０Ａ及び第２収容部１０Ｂよりも一方の側（上側）に配置される。そのため、例えば点灯ブロックと駆動ブロックとの間の僅かな隙間を配線作業用のスペースに利用する場合に比べて、より広い空間領域として第１配線部１０Ｃを確保することができる。したがって、配線作業の作業性の向上を図ることができる。
【００２０】
（２）詳細
（２．１）全体構成
以下、誘導灯器具１の全体構成について詳しく説明する。誘導灯器具１は、上の「（１）概要」の欄で説明した通り、点滅形避難口誘導灯器具として構成されている。誘導灯器具１は、図１に示すように、一例として天井材又は壁材に直付けされる、誘導音付の誘導灯器具として構成されていて、全体として左右方向に長尺の形状を有している。
【００２１】
誘導灯器具１は、図２に示すように、第１蓄電池ブロック２３を有する表示ユニット２、光源装置３、駆動ブロック（駆動装置）４、第２蓄電池ブロック５、及び筐体１０等を備えている。また、誘導灯器具１は、図３に示すように、複数の端子台（第１端子台７１、一対の第２端子台７２、及び第３端子台７３）を備えている。また、誘導灯器具１は、図３に示すように、取付部材６、スピーカ（機能部）８、並びに点検用の第１及び第２スイッチブロック１６、１７を、更に備えている。
【００２２】
（２．２）筐体
筐体１０は、図２に示すように、それぞれ長方形の前壁１１、後壁１２及び４つの側壁１３を有する直方体状に形成された外郭を有している。ただし、本実施形態における筐体１０は、本体１００とプレート１０１と取付台１５とで構成されている。
【００２３】
本体１００は、前面が開放された、左右方向に長尺の箱形に形成されており、筐体１０の後壁１２と４つの側壁１３を構成している。プレート１０１は、筐体１０の前壁１１と４つの側壁１３の前端部分を構成している。プレート１０１は、一対の取付ばね１０２によって着脱可能に本体１００に取り付けられる。本体１００の前面を覆うように当該前面にプレート１０１が取り付けられることによって筐体１０が構成される。本体１００及びプレート１０１は、鋼板などの不燃物で形成されている。なお、本体１００に対するプレート１０１の取付構造については、後の「（２．７）筐体の取付構造」の欄で詳しく説明する。
【００２４】
取付台１５は、合成樹脂材料によって前面と下面が開放された箱形に形成されている。取付台１５は、本体１００の内底面（後壁１２の前面）にねじ止めされている。
【００２５】
筐体１０は、少なくとも、表示ユニット２の（後述する）点灯ブロック２２、駆動ブロック４及び第１端子台７１を、その内部に収容する。本実施形態では、一例として、表示ユニット２、駆動ブロック４、第１端子台７１、及び一対の第２端子台７２が、取付台１５に取り付けられた状態で、筐体１０内に収容されている。また、スピーカ８、光源装置３、第２蓄電池ブロック５、並びに第３端子台７３等が、取付台１５の周囲に配置されるように、筐体１０内に収容されている。ただし、筐体１０内に収容されている点灯ブロック２２、駆動ブロック４、第１端子台７１、及び一対の第２端子台７２）に関する位置関係については、後の「（２．６）筐体の収容構造」の欄で詳しく説明する。
【００２６】
（２．３）表示ユニット
表示ユニット２は、図２に示すように、表示板２０と、光源ブロック２１と、点灯ブロック２２と、第１蓄電池ブロック２３とを有している。
【００２７】
表示板２０は、アクリル樹脂又はポリカーボネート樹脂等の透光性を有する合成樹脂材料によって四角形の板状に形成されている。ただし、表示板２０は、前後方向の厚みを上端から下端に向かって徐々に小さくするように形成されている。表示板２０の前面（表示面）には避難口を示すピクトグラムが描かれている。表示板２０は、その表示面がプレート１０１から露出するように筐体１０に支持される。
【００２８】
光源ブロック２１は、１つ以上（図３では一対）のＬＥＤ２１１（第１光源）と、導光部材と、ＬＥＤ２１１及び導光部材を収容するケース２１０と、を備える。ケース２１０の下面には導光部材から出射する光をケース２１０の外に放射するための開口が設けられている。光源ブロック２１は、図２に示すように、取付台１５の上部に取り付けられる。また、表示板２０は、上側面を光源ブロック２１のケース２１０の開口に対向させるようにして取付台１５に取り付けられる。表示板２０は、ＬＥＤ２１１により照らされる。
【００２９】
第１蓄電池ブロック２３は、電気絶縁性を有する合成樹脂製の電池ケースに複数の電池セルを収容して構成されている。電池セルは、ニッケル水素電池のような蓄電池である。第１蓄電池ブロック２３は、取付台１５の右下横に突設された蓄電池収容部１０Ｅ内に収容されている（図２及び図３参照）。
【００３０】
点灯ブロック２２は、ＬＥＤ２１１を点灯制御するように構成される。具体的には、点灯ブロック２２は、常用点灯回路と、第１充電回路と、非常用点灯回路と、第１制御回路と、これらの回路を構成する電子部品が実装された実装基板を収容する樹脂製のケース２２０とを有している。常用点灯回路は、外部電源（例えば、商用の電力系統）から供給される電力でＬＥＤ２１１を点灯させる。第１充電回路は、外部電源から供給される電力で第１蓄電池ブロック２３の電池セルを充電する。非常用点灯回路は、外部電源の電力供給が停止した場合、第１蓄電池ブロック２３から放電される電力でＬＥＤ２１１を点灯させる。第１制御回路は、外部電源の給電状況を監視し、外部電源から電力供給されているときは常用点灯回路と第１充電回路を動作させるとともに非常用点灯回路を停止させる。また、第１制御回路は、外部電源の電力供給が停止（停電）したときは常用点灯回路と第１充電回路を停止させるとともに非常用点灯回路を動作させる。
【００３１】
さらに、第１制御回路は、第１充電回路を動作させているときに第１表示素子を発光させて充電中であることを表示する。第１制御回路は、第１点検スイッチがオンされている間、常用点灯回路及び第１充電回路を強制的に停止させるとともに非常用点灯回路を強制的に動作させて光源ブロック２１のＬＥＤ２１１を点灯させる。第１制御回路は、自己点検スイッチが所定時間（例えば、２秒）以上オンされると自己点検動作を行う。また、第１制御回路は、受光素子において赤外線を通信媒体とする制御信号を受信した場合も自己点検動作を行う。自己点検動作とは、規定時間（２０分又は６０分）が経過するまで常用点灯回路及び第１充電回路を強制的に停止させるとともに非常用点灯回路を強制的に動作させて光源ブロック２１のＬＥＤ２１１を点灯させる動作である。そして、第１制御回路は、規定時間が経過したら非常用点灯回路を停止させて非常用点灯回路の入力電圧、すなわち、第１蓄電池ブロック２３の電池電圧を測定し、電池電圧の測定値に基づいて第１蓄電池ブロック２３の良否を判定する。第１制御回路は、第１蓄電池ブロック２３を良好と判定した場合に第１表示素子を連続して発光させ、第１蓄電池ブロック２３を不良と判定した場合に第１表示素子を間欠的に発光（点滅）させる。
【００３２】
表示ユニット２は、筐体１０の前壁１１（プレート１０１）に設けられた四角形状の窓１１０から表示板２０の前面を露出させるようにして筐体１０内に収容される。表示ユニット２は、光源ブロック２１から表示板２０の上面に光を入射させ、表示板２０全体を発光させることにより、表示板２０の前面の輝度を高めてピクトグラムの視認性を高めている。
【００３３】
（２．４）光源装置
光源装置３は、図３に示すように、ＬＥＤ３０（機能部）と、ＬＥＤ３０を支持するホルダ３１と、一対の端子板と、放熱板３３と、レンズ９とを有している。
【００３４】
ＬＥＤ３０は、四角形状の実装基板の中央に少なくとも１個のＬＥＤチップが実装されて構成されている。ＬＥＤチップは、例えば、青色光を放射する青色発光ダイオードである。また、ＬＥＤチップを含む実装基板の実装面（下面）は、ＬＥＤチップから放射される青色光を波長変換する蛍光物質が混入された封止樹脂で封止されている。なお、封止樹脂は上下方向から見て円形に形成されており、封止樹脂の表面がＬＥＤ３０の発光面となる。
【００３５】
さらに、実装基板は、その対角の位置にある一対の角部にそれぞれ電極を有している。一方の電極は、ＬＥＤチップのカソードと電気的に接続され、他方の電極は、ＬＥＤチップのアノードと電気的に接続されている。これらの電極は、一対の端子板のうちの対応する端子板と電気的に接続されている。
【００３６】
ホルダ３１は、ポリカーボネート樹脂等の合成樹脂材料によって円板状に形成されている。ホルダ３１の中央部にＬＥＤ３０が保持されている。ホルダ３１は、端子板保持部３１０を有している。端子板保持部３１０は、上向きに伸びた角筒状に形成され、一対の端子板を内部に収容して保持している。
【００３７】
レンズ９は、例えばガラス材料によって略ドーム形状に形成されている。レンズ９は、ＬＥＤ３０を覆うようにホルダ３１上に配置される。放熱板３３は、アルミ板によって形成されている。レンズ９及びホルダ３１は、放熱板３３にねじ止め固定されている。
【００３８】
上述した構成を有する光源装置３は、取付部材６に取り付けられた状態で、筐体１０に固定されている。
【００３９】
（２．５）取付部材とスイッチブロック
取付部材６は、例えば金属板に折り曲げ加工を施すことで形成されている。取付部材６には、光源装置３だけでなく、第１スイッチブロック１６及び第２スイッチブロック１７も取り付けられる。なお、光源装置３、第１スイッチブロック１６及び第２スイッチブロック１７は、取付部材６を下から見たとき、左側から光源装置３、第１スイッチブロック１６及び第２スイッチブロック１７の順番に並ぶように配置されている。
【００４０】
第１スイッチブロック１６は、上述した第１点検スイッチ、自己点検スイッチ、第１表示素子、受光素子が実装されたプリント配線板と、プリント配線板を収容する第１ケース１６０と、第１点検スイッチを操作するための第１押釦１６１とを備える。
【００４１】
第１ケース１６０は、合成樹脂材料によって直方体形状の箱形に形成されている。第１ケース１６０の一面（下面）には、第１押釦１６１が収容される第１操作穴と、第１操作穴よりも径の小さい第２操作穴と、第１表示穴と、第１操作穴とほぼ同径の受光穴とが設けられている。第１押釦１６１は円柱状に形成されており、上下方向に移動可能な状態で第１操作穴内に収容されている。
【００４２】
第１ケース１６０内において、第１操作穴と上下方向に対向する位置に、押釦スイッチからなる第１点検スイッチが配置されている。したがって、第１ケース１６０の外から押された第１押釦１６１が第１ケース１６０内に移動し、第１押釦１６１の上端で第１点検スイッチが押操作されてオンする。
【００４３】
第１ケース１６０内において、第２操作穴と上下方向に対向する位置に、押釦スイッチからなる自己点検スイッチが配置されている。すなわち、自己点検スイッチは、第２操作穴を通して第１ケース１６０の外から挿入される細い工具（例えば、ドライバ等）の先端で押操作されてオンする。
【００４４】
第１ケース１６０内において、第１表示穴と上下方向に対向する位置に第１表示素子が配置されている。すなわち、第１表示素子の発する光は第１表示穴を通して第１ケース１６０の外に放射される。
【００４５】
第１ケース１６０内において、受光穴と上下方向に対向する位置に受光素子が配置されている。すなわち、自己点検用のリモートコントローラから送信される制御信号が受光穴を通して受光素子で受光（受信）される。
【００４６】
第１スイッチブロック１６は、取付部材６の左右方向における略中央位置に、ねじ止め等により取り付けられている。
【００４７】
第２スイッチブロック１７は、第２点検スイッチ及び第２表示素子が実装されたプリント配線板と、プリント配線板を収容する第２ケース１７０と、第２点検スイッチを操作するための第２押釦１７１とを備える。第２ケース１７０は、合成樹脂材料によって直方体形状の箱形に形成されている。第２ケース１７０の一面（下面）には、第２押釦１７１が収容される第３操作穴と、第３操作穴よりも径の小さい第２表示穴とが設けられている。第２押釦１７１は円柱状に形成されており、上下方向に移動可能な状態で第３操作穴内に収容されている。第２ケース１７０内において第３操作穴と上下方向に対向する位置に、押釦スイッチからなる第２点検スイッチが配置されている。したがって、第２ケース１７０の外から押された第２押釦１７１が第２ケース１７０内に移動し、第２押釦１７１の上端で第２点検スイッチが押操作されてオンする。第２ケース１７０内において第２表示穴と上下方向に対向する位置に第２表示素子が配置されている。すなわち、第２表示素子の発する光は第２表示穴を通して第２ケース１７０の外に放射される。
【００４８】
第２スイッチブロック１７は、取付部材６の左右方向における右端の位置に、ねじ止め等により取り付けられている。
【００４９】
取付部材６は、筐体１０の内底面（後壁１２の前面）における下端部分に固定される。光源装置３のレンズ９は、筐体１０の下側の側壁１３における長手方向（左右方向）の中央に設けられた挿通穴１４を通して筐体１０の外に突出する。また、筐体１０の下側の側壁１３には、第１ケース１６０の第１操作穴、第２操作穴、第１表示穴及び受光穴、第２ケース１７０の第３操作穴及び第２表示穴と各々一対一に対応した複数の穴１３１〜１３６（図１参照）が設けられている。穴１３１は、第１操作穴と対向している。したがって、第１押釦１６１の先端部分が穴１３１を通して筐体１０の外に突出する。穴１３２は第２操作穴と対向している。穴１３３は第１表示穴と対向している。穴１３４は受光穴と対向している。穴１３５は第３操作穴と対向している。したがって、第２押釦１７１の先端部分が穴１３５を通して筐体１０の外に突出する。穴１３６は第２表示穴と対向している。
【００５０】
（２．６）駆動ブロック
駆動ブロック（駆動装置）４は、光源装置３のＬＥＤ３０（機能部）を駆動する第１駆動回路と、スピーカ８（機能部）を駆動する第２駆動回路と、を有している。また、駆動ブロック４は、駆動回路に電力を供給するための第２蓄電池ブロック５を充電する第２充電回路と、駆動回路及び第２充電回路を制御する第２制御回路とを有している。また、駆動ブロック４は、スピーカ８から出力する誘導音（例えば音声メッセージ）に関するデータ等を予め記憶するメモリを有している。また、駆動ブロック４は、上記の回路を構成する電子部品が実装された実装基板を収容する樹脂製のケース４０を有している。
【００５１】
第２制御回路は、信号線Ｓ１（図４参照）を介して誘導灯信号装置から信号を受信したとき、第１駆動回路を制御し、通常時は外部電源から供給される電力でＬＥＤ３０を駆動してＬＥＤ３０を発光させる。また、第２制御回路は、外部電源の停電時は第２蓄電池ブロック５から供給される電力でＬＥＤ３０を駆動してＬＥＤ３０を発光させる。ただし、第２制御回路は、誘導効果を高めるためにＬＥＤ３０を間欠駆動するように駆動回路を制御する。例えば、第２制御回路は、約５００ｍｓ毎に約５０ｍｓの期間だけＬＥＤ３０を駆動して発光させるように駆動回路を制御することが好ましい。要するに、駆動ブロック４は、非常時において、機能部に相当するＬＥＤ３０に、誘導機能に相当する点灯又は点滅を行わせる（機能部の駆動）。
【００５２】
また、第２制御回路は、信号線Ｓ１を介して誘導灯信号装置から信号を受信したとき、第２駆動回路を制御し、メモリ内に記憶されるデータに基づいてスピーカ８から音声メッセージを出力させる。要するに、駆動ブロック４は、非常時において、機能部に相当するスピーカ８に、誘導機能に相当する音声メッセージの出力を行わせる（機能部の駆動）。音声メッセージは、例えば日本語「非常口はこちらです」又は英語「here is an emergencyexit」等であることが好ましい。日本語の音声及び英語の音声のいずれを出力させるかについては、駆動ブロック４に設けられたスイッチ等で予め切り替えることができることが好ましい。スピーカ８から出力される音声メッセージの音量は、駆動ブロック４に設けられた音量調整用の摘み等によって調整可能であることが好ましい。
【００５３】
第２充電回路は、外部電源から供給される電力で第２蓄電池ブロック５を充電する。さらに、第２制御回路は、第２充電回路を動作させているときに第２表示素子を発光させて充電中であることを表示する。第２制御回路は、第２点検スイッチがオンされている間、第２充電回路を強制的に停止させるとともに第１駆動回路及び第２駆動回路を制御して光源装置３のＬＥＤ３０の発光及び、スピーカ８からの音声メッセージの出力を行わせる。
【００５４】
第２蓄電池ブロック５は、複数本の乾電池型の電池セルが熱収縮チューブに包まれて構成されている。各電池セルは、ニッケル水素電池のような蓄電池である。第２蓄電池ブロック５は、筐体１０内における取付台１５の左横に収容されている（図３参照）。
【００５５】
（２．７）筐体の収容構造
以下、筐体１０の収容構造について説明する。本実施形態の筐体１０は、図３に示すように、表示板２０の後ろ側の本体１００内において、第１収容部１０Ａと、第２収容部１０Ｂと、第１配線部１０Ｃと、第２配線部１０Ｄとを有している。本実施形態では、筐体１０の取付台１５に、第１収容部１０Ａ、第２収容部１０Ｂ、第１配線部１０Ｃ、及び第２配線部１０Ｄが設けられている。
【００５６】
詳細な説明は省略するが、スピーカ８は、スピーカ８を保持する樹脂製の保持部材が本体１００内における取付台１５の左横にねじ止めされて、筐体１０内に収容されている。第２蓄電池ブロック５は、筐体１０内において、スピーカ８より下に配置されている。また、第３端子台７３は、筐体１０内において、スピーカ８より上に固定されていている。第３端子台７３は、その右端面に電線挿入口を有しており、スピーカ８の入力端と電気的に接続されている電線（不図示）の先端を、電線挿入口に挿入し、第３端子台７３の前端面にあるねじを締めつけることで、当該電線が接続され得る。
【００５７】
（２．７．１）第１収容部
第１収容部１０Ａは、点灯ブロック２２が収容されるように構成されている。第１収容部１０Ａは、取付台１５内の右下領域に位置する。第１蓄電池ブロック２３が、取付台１５の右下横にある蓄電池収容部１０Ｅ内に収容されているため、点灯ブロック２２は、第１蓄電池ブロック２３から比較的近い位置にあると言える。第１収容部１０Ａは、点灯ブロック２２のケース２２０の外周縁を囲むように形成された複数の位置決め片１５１（図５参照）を有している。また、第１収容部１０Ａは、ケース２２０の上側壁と下側壁とにそれぞれ設けられている突起片が挿入して係止する複数のブリッジ状の係止部１５２（図５参照）を有している。したがって、点灯ブロック２２は、位置ずれ等を起こし難い状態で第１収容部１０Ａに収容されている。
【００５８】
（２．７．２）第２収容部
第２収容部１０Ｂは、駆動ブロック４が収容されるように構成されている。第２収容部１０Ｂは、取付台１５内の左下領域に位置する。つまり、第１収容部１０Ａ及び第２収容部１０Ｂは、本体１００の開放された一面（前面）と交差する第１の方向（前後方向）から見たときに、左右方向に並んで配置されている。そのため、第２収容部１０Ｂに収容された駆動ブロック４は、第１収容部１０Ａに収容された点灯ブロック２２と左右方向に並んでいる。また、第２蓄電池ブロック５及びスピーカ８が本体１００内において取付台１５の左横に収容されているため、駆動ブロック４は、第２蓄電池ブロック５及びスピーカ８から比較的近い位置にあると言える。第２収容部１０Ｂは、駆動ブロック４のケース４０の外周縁を囲むように形成された複数の位置決め片１５３（図５参照）を有している。また、第２収容部１０Ｂは、ケース４０の左側壁と右側壁とにそれぞれ設けられている突起片が挿入して係止する複数のブリッジ状の係止部１５４（図５参照）を有している。したがって、駆動ブロック４は、位置ずれ等を起こし難い状態で第２収容部１０Ｂに収容されている。
【００５９】
このように、第２収容部１０Ｂに収容された駆動ブロック４は、第１収容部１０Ａに収容された点灯ブロック２２とは分離されて配置されている。常用の表示ユニット２のＬＥＤ２１１の点灯制御を行っている点灯ブロック２２は、常に発熱しており、その周囲温度が比較的高くなり易い。一方、特定の事象が発生したときのみ（非常時及び点検時等）機能部の駆動を行う駆動ブロック４は、通常時においては第２蓄電池ブロック５の充電を行うのみであるため、点灯ブロック２２に比べればその発熱量は低い。上述のように、駆動ブロック４と点灯ブロック２２とが空間的に分離されているため、駆動ブロック４内の回路部品等は、点灯ブロック２２からの発熱の影響を受け難い。
【００６０】
（２．７．３）第１配線部
第１配線部１０Ｃは、電源線用の第１端子台７１（図示例では２つの端子台ブロックからなる）が配置されるように構成されている。また、第１配線部１０Ｃは、信号線用の一対の第２端子台７２が配置されるように構成されている。第１配線部１０Ｃは、取付台１５を前後方向から見たときに、取付台１５内の上側領域に位置しており、取付台１５を上下方向に三等分したときの約三分の一の領域を占める。第１配線部１０Ｃは、取付台１５を前後方向から見たときに、取付台１５における左端から右端の近傍にわたる領域を占めており、左右方向に長尺である。そして、第１配線部１０Ｃは、第１の方向（前後方向）から見たときに、第１収容部１０Ａと第２収容部１０Ｂとが並ぶ並び方向（左右方向）と交差する第２の方向（上下方向）における第１収容部１０Ａ及び第２収容部１０Ｂよりも一方の側（上側）に配置される。
【００６１】
第１端子台７１は、第１配線部１０Ｃの右縁の近傍に配置されている。具体的には、図５に示すように、第１配線部１０Ｃの右縁の近傍には、前方に向かって矩形板状に突出した台座１５５が設けられている。第１端子台７１は、台座１５５の前面にねじ止めされている。
【００６２】
第１配線部１０Ｃには、第１端子台７１の一次側に接続される第１電線Ｌ１（図示例では、簡略化のために１本のみ示す：例えば電圧線（黒相）と中性線（白相）とを含む）が配置される。第１電線Ｌ１は、外部から筐体１０内に引き込まれる電源線である。
【００６３】
ここで、本体１００の後壁１２の上部における左右方向の中央に、第１電線Ｌ１を筐体１０内に引き込むための電源線挿通孔１０４Ａ（図３参照）が設けられている。本体１００の上側の側壁１３における左右方向の中央にも、電源線挿通孔１０４Ｂ（図３参照）が設けられている。また、取付台１５の底壁において、電源線挿通孔１０４Ａと連通する電源線挿通孔１５６Ａ（図５参照）が設けられている。同様に、取付台１５の上側壁においても、電源線挿通孔１０４Ｂと連通する電源線挿通孔１５６Ｂ（図５参照）が設けられている。要するに、第１配線部１０Ｃは、取付台１５内の上側領域に位置しているため、第１電線Ｌ１は、電源線挿通孔１０４Ａ、１５６Ａ、又は電源線挿通孔１０４Ｂ、１５６Ｂを通ると、直接的に第１配線部１０Ｃ内に入ることになる。なお、図示例では、第１電線Ｌ１は、一例として、電源線挿通孔１０４Ｂ、１５６Ｂを通じて、筐体１０内に引き込まれている。
【００６４】
第１端子台７１は、例えば、ねじなし端子（いわゆる速結端子）を有しており、第１電線Ｌ１（の電圧線と中性線）を差し込むことで第１端子台７１の一次側に接続され得る複数の差込口７１１を有している。また、第１端子台７１は、第１端子台７１の二次側に接続されている複数の第２電線Ｌ２（図示例では２本）が導出される複数の導出口７１２を有している。複数の第２電線Ｌ２は、第１端子台７１の二次側と点灯ブロック２２及び駆動ブロック４の各々とを電気的に接続する（繋ぐ）。第１端子台７１の二次側と点灯ブロック２２とを繋ぐ第２電線Ｌ２は、図示例では簡略化のために１本で示すが、例えば電圧線（黒相）と中性線（白相）と電圧線（赤相）とを含む。また、第１端子台７１の二次側と駆動ブロック４とを繋ぐ第２電線Ｌ２は、例えば電圧線（黒相）と中性線（白相）とを含む。
【００６５】
２本の第２電線Ｌ２のうちの一方は、図４に示すように、点灯ブロック２２のケース２２０の左下縁から露出する第１端子ブロック２２１に接続されている。また、２本の第２電線Ｌ２のうちの他方は、図４に示すように、駆動ブロック４のケース４０の右上縁から露出する第１端子ブロック４１に接続されている。図４では、第１端子台７１、一対の第２端子台７２、点灯ブロック２２、及び駆動ブロック４を想像線（二点鎖線）で示す。
【００６６】
ここで本実施形態の第１端子台７１は、複数の導出口７１２が第１配線部１０Ｃの縁の側（右縁の側）を向くように配置されている。そして、複数の差込口７１１は、第１配線部１０Ｃの左右方向の中央の側を向いている。したがって、誘導灯器具１の施工時に、施工者にとっては、導出口７１２から導出している複数の第２電線Ｌ２が邪魔になり難い。また、施工者は、第１配線部１０Ｃを利用して、第１電線Ｌ１の引き回しを行ったり、第１端子台７１の差込口７１１に第１電線Ｌ１を差し込んで接続（結線）したりすることができる。つまり、配線作業が容易となる。
【００６７】
一対の第２端子台７２は、第１配線部１０Ｃの下部の左寄りに配置されている。具体的には、第１配線部１０Ｃの下部の左寄りの位置には、前方に向かって矩形板状に突出した台座１５８が設けられている。一対の第２端子台７２は、台座１５８の前面の左右両端に、それぞれ固定されている。
【００６８】
第１配線部１０Ｃには、各第２端子台７２の一次側に接続される複数の信号線Ｓ１（図示例では簡略化のため各第２端子台７２に対して１本のみ）が配置される。複数の信号線Ｓ１は、外部から筐体１０内に引き込まれる。誘導灯器具１は、複数の信号線Ｓ１を介して、例えば、煙感知器等に接続されている外部の誘導灯信号装置、並びに、建物の上層階又は下層階にある別の誘導灯器具と接続されていて、これらと通信可能となっている。
【００６９】
一対の第２端子台７２は、互いに対向する対向面において、電線挿入口を有している。各信号線Ｓ１の先端を、電線挿入口に挿入し、各第２端子台７２の前端面にあるねじを締めつけることで、当該信号線Ｓ１が接続され得る。
【００７０】
ここで、本体１００の後壁１２の上部における電源線挿通孔１０４Ａの左横に、信号線Ｓ１を筐体１０内に引き込むための信号線挿通孔１０４Ｃ（図３参照）が設けられている。本体１００の上側の側壁１３における電源線挿通孔１０４Ｂの左横にも、信号線挿通孔１０４Ｄ（図３参照）が設けられている。また、取付台１５の底壁において、信号線挿通孔１０４Ｃと連通する信号線挿通孔１５６Ｃ（図５参照）が設けられている。同様に、取付台１５の上側壁においても、信号線挿通孔１０４Ｄと連通する信号線挿通孔１５６Ｄ（図５参照）が設けられている。要するに、第１配線部１０Ｃは、取付台１５内の上側領域に位置しているため、信号線Ｓ１は、信号線挿通孔１０４Ｃ、１５６Ｃ、又は信号線挿通孔１０４Ｄ、１５６Ｄを通ると、直接的に第１配線部１０Ｃ内に入ることになる。なお、図示例では、信号線Ｓ１は、一例として、信号線挿通孔１０４Ｄ、１５６Ｄを通じて、筐体１０内に引き込まれている。
【００７１】
各第２端子台７２の二次側に接続される複数の信号線Ｓ２は、駆動ブロック４のケース４０の上縁から露出する第２端子ブロック４２に接続されている。第２端子ブロック４２は、第１端子ブロック４１の左隣りに並んでいる。なお、第２端子ブロック４２は、信号線Ｓ３を介して、スピーカ８の上に配置されている第３端子台７３とも接続されており、駆動ブロック４は、信号線Ｓ３及び第３端子台７３を通じて、スピーカ８へ音声メッセージを含む音声信号を出力する。
【００７２】
以下、その他の接続関係について説明する。点灯ブロック２２のケース２２０の上縁の左隅には、第２端子ブロック２２２が露出している。第２端子ブロック２２２は、複数の第３電線Ｌ３（図示例では簡略化のため１本のみ）を介して、表示ユニット２の光源ブロック２１と電気的に接続され、ＬＥＤ２１１を点灯させるための電力を供給する。複数の第３電線Ｌ３は、第１配線部１０Ｃ内に配置されている。第１配線部１０Ｃは、複数の第３電線Ｌ３の位置ずれを抑制するために、複数の鉤状の留め部１５７を有している。複数の留め部１５７は、取付台１５の内底面から前方に突出し、電源線挿通孔１５６Ａよりも上側に設けられている。また、点灯ブロック２２のケース２２０の上縁の右隅には、第３端子ブロック２２３が露出している。第３端子ブロック２２３は、電線Ｌ４、Ｌ５を介して、それぞれ、第１蓄電池ブロック２３及び第１スイッチブロック１６と電気的に接続されている。駆動ブロック４のケース４０の下縁の右隅には、第３端子ブロック４３が露出している。第３端子ブロック４３は、複数の電線Ｌ６〜Ｌ８を介して、それぞれ、光源装置３、第２蓄電池ブロック５及び第２スイッチブロック１７と電気的に接続されている。
【００７３】
ところで、筐体１０は、誘導灯器具１を構造体Ｔ１へ取り付けるための一対の取付ボルトＴ１０がそれぞれ挿入される一対の孔１０３を２組有している。すなわち、筐体１０の後壁１２に一対の孔１０３が設けられ、更に、筐体１０の上側の側壁１３に、一対の孔１０３が設けられている。後壁１２にある孔１０３は、例えば誘導灯器具１を壁材に取り付けるときに用いられ、上側の側壁１３にある孔１０３は、例えば誘導灯器具１を天井材に取り付ける際に用いられる。そして、第１配線部１０Ｃは、第１の方向（前後方向）から見たときに、第１収容部１０Ａ、第２収容部１０Ｂ、及び（いずれか一方の組の）一対の孔１０３に挿入された一対の取付ボルトＴ１０によって囲まれている。言い換えると、第１配線部１０Ｃ及び一対の孔１０３の位置関係は、第１配線部１０Ｃを利用して配線作業を行う施工者にとって孔１０３に挿入されている取付ボルトＴ１０が邪魔にならないように、規定されている。
【００７４】
（２．７．４）第２配線部
第２配線部１０Ｄは、上述した第１端子台７１の二次側と点灯ブロック２２及び駆動ブロック４の各々とを繋ぐ複数の第２電線Ｌ２（図示例では２本）が配置されるように構成されている。また、光源ブロック２１と点灯ブロック２２とを繋ぐ第３電線Ｌ３も、この第２配線部１０Ｄと第１配線部１０Ｃとに配置されている。第２配線部１０Ｄは、取付台１５を前後方向から見たときに、取付台１５内において、第１領域１０Ｄ１、第２領域１０Ｄ２、及び第３領域１０Ｄ３によって構成される（図４参照）。第１領域１０Ｄ１は、第１配線部１０Ｃにある第１端子台７１の右横において、上下方向に延びている。第２領域１０Ｄ２は、第１領域１０Ｄ１の下端から連続し、左右方向に延びている。第３領域１０Ｄ３は、第２領域１０Ｄ２の左端から連続し、上下方向に延びている。
【００７５】
第１領域１０Ｄ１には、第１端子台７１の導出口７１２から導出している複数の第２電線Ｌ２が最初に通る領域である。複数の第２電線Ｌ２は、第１領域１０Ｄ１から第２領域１０Ｄ２にわたって、第１端子台７１の外縁の周方向に沿うように通る。第２領域１０Ｄ２は、概ね第１端子台７１と点灯ブロック２２と間に配置されている。そして、第３領域１０Ｄ３は、概ね点灯ブロック２２と駆動ブロック４との間に配置されている。言い換えると、第１収容部１０Ａ及び第２収容部１０Ｂは、取付台１５を前後方向から見たときに、上記第１の方向（前後方向）から見たときに互いに隙間Ｇ１を空けて並んで配置される。第２配線部１０Ｄの第３領域１０Ｄ３は、隙間Ｇ１に配置されている。なお、第３領域１０Ｄ３には、第２電線Ｌ２の位置ずれを抑制するために複数の鉤状の留め部１５９が設けられている。留め部１５９は、取付台１５の内底面から前方に突出している。
【００７６】
本実施形態では、複数の第２電線Ｌ２の接続先である点灯ブロック２２の第１端子ブロック２２１及び駆動ブロック４の第１端子ブロック４１、並びに、第３電線Ｌ３の接続先である点灯ブロック２２の第２端子ブロック２２２が、第３領域１０Ｄ３に面している。そのため、第２電線Ｌ２及び第３電線Ｌ３が、取付台１５内において無用に引き回される可能性を抑制できる。
【００７７】
ところで、本実施形態の筐体１０は、第２配線部１０Ｄに配置される第２電線Ｌ２が第１配線部１０Ｃへ入り込むことを規制する壁部Ｗ１を、更に有している。壁部Ｗ１は、第２配線部１０Ｄの一部（第３領域１０Ｄ３）と第１配線部１０Ｃとの間に配置されている。壁部Ｗ１は、取付台１５の内底面から前方に突出している。壁部Ｗ１は、上下方向から見たときに、矩形の板状である。なお、壁部Ｗ１の数、並びに、その左右方向における寸法は、特に限定されない。壁部Ｗ１の数は、例えば２つでもよいし、１つの壁部Ｗ１が、第２領域１０Ｄ２にまでわたって長く延びていてもよい。
【００７８】
（２．７．５）配線作業
以下、誘導灯器具１の施工時に、施工者の配線作業について簡単に説明する。なお、以下の作業手順は、単なる一例であって、特に限定されるものではない。また、以下では、構造体Ｔ１は、天井材であることを想定する。
【００７９】
施工者は、まず、誘導灯器具１から筐体１０のプレート１０１及び表示板２０等を取り外し、誘導灯器具１を構造体Ｔ１から導出されている一対の取付ボルトＴ１０を、筐体１０の上側の側壁１３にある一対の孔１０３にそれぞれ通す。これと同時に、施工者は、構造体Ｔ１から導出されている第１電線Ｌ１及び複数の信号線Ｓ１も、電源線挿通孔１０４Ｂ、１５６Ｂ及び信号線挿通孔１０４Ｄ、１５６Ｄに、それぞれ通す。そして、施工者は、取付ボルトＴ１０をナット等で締め付けて、誘導灯器具１を構造体Ｔ１に固定する。
【００８０】
次に、施工者は、第１配線部１０Ｃ内の空間を利用して第１電線Ｌ１を引き回しながら、第１電線Ｌ１の先端を第１端子台７１の差込口７１１に差し込む。その結果、第１電線Ｌ１が、第１配線部１０Ｃの一次側に接続される。また、施工者は、第１配線部１０Ｃ内の空間を利用して複数の信号線Ｓ１を引き回しながら、その各々の先端を、対応する第２端子台７２の電線挿入口に挿入して、第２端子台７２の前端面にあるねじを締めつける。その結果、信号線Ｓ１が、対応する第２端子台７２の一次側に接続される。
【００８１】
本実施形態では、プレート１０１が外された状態で、このように第１端子台７１及び第２端子台７２に対する第１電線Ｌ１及び信号線Ｓ１の結線、並びに引き回しにおいて、第１配線部１０Ｃを利用することができる。特に、第１配線部１０Ｃが第１収容部１０Ａ及び第２収容部１０Ｂよりも上側に配置されている。そのため、例えば、点灯ブロックと駆動ブロックとの間の僅かな隙間を配線作業用のスペースに利用する場合に比べて、より広い領域として第１配線部１０Ｃを確保することができる。したがって、配線作業の作業性の向上を図ることができる。また、第１端子台７１の二次側に繋がれている第２電線Ｌ２は、第１配線部１０Ｃから分離した領域にある第２配線部１０Ｄに配置されているため、第１電線Ｌ１と第２電線Ｌ２とが、筐体１０内で絡み合う可能性を低減できる。言い換えると、第１電線Ｌ１の配線作業時に、第２電線Ｌ２が邪魔になり難くなり、配線作業が容易となる。
【００８２】
特に、壁部Ｗ１が設けられていることで、第１電線Ｌ１と第２電線Ｌ２とが、筐体１０内で絡み合う可能性を更に低減できる。そして、第１配線部１０Ｃ及び一対の孔１０３の位置関係は、第１配線部１０Ｃが第１収容部１０Ａ、第２収容部１０Ｂ、及び一対の孔１０３に挿入された一対の取付ボルトＴ１０によって囲まれるように規定されている。そのため、配線作業時に、第１配線部１０Ｃを利用する施工者の手が、一対の取付ボルトＴ１０に当たるといった事態の発生を抑制することができる。
【００８３】
（２．８）筐体の取付構造
以下、筐体１０における本体１００及びプレート１０１の取付構造について図２及び図６を参照しながら説明する。なお、図６では、プレート１０１の外郭を想像線（二点鎖線）で示す。一対の取付ばね１０２は、プレート１０１の背面における左右の両縁において、それぞれ後方に突出するように設けられている。各取付ばね１０２は、全体として略Ｕ状の線ばねとして構成されている。
【００８４】
一方、本体１００の左右の側壁１３は、その前端において、互いに近づく方向に突出する突片１３０を有している。本体１００の各突片１３０は、対応する取付ばね１０２が本体１００の前方から挿入され得る切欠凹部１３７を有している。更に、各側壁１３は、その内側面において、切欠凹部１３７を通った取付ばね１０２が引っ掛かる引掛部１３８を有している。
【００８５】
各引掛部１３８は、対応する取付ばね１０２が引っ掛けられる一対の引掛片１３９を有している。一対の引掛片１３９は、先端が上下方向において互いに向き合った鉤形状を有している。各取付ばね１０２は、一対の引掛片１３９の間に押し込まれると、上下方向に縮むように弾性変形しながら挿入される。各取付ばね１０２は、所定の位置まで挿入されると、弾性復帰することで、一対の引掛片１３９に引っ掛かり、プレート１０１は、本体１００に取り付けられる。
【００８６】
ところで、本実施形態の一対の取付ばね１０２は、図６に示すように、プレート１０１を左右方向に沿って見たときに、上下方向の位置が異なるように配置されている。なお、図６は、筐体１０を右側から見た斜視図である。具体的には、プレート１０１の右側の取付ばね１０２は、上下方向における中央よりもやや下の位置にあり、左側の取付ばね１０２は、上下方向における中央よりもやや上の位置ある。言い換えると、この一対の取付ばね１０２だけに着目すれば、プレート１０１は、前後方向に沿って見たときに、点対称である。
【００８７】
また、一対の取付ばね１０２の位置関係に対応して、右側の切欠凹部１３７及び引掛部１３８は、側壁１３の上下方向における中央よりやや下にあり、左側の右側の切欠凹部１３７及び引掛部１３８は、側壁１３の上下方向における中央よりやや上にある。
【００８８】
そして、本実施形態の本体１００は、もう１つ別のプレート１０１が後方から取り付けられるように構成されている。具体的には、図１〜図３及び図６の本体１００は、その後面が後壁１２によって塞がれた状態であるが、図８に示すような両面タイプの誘導灯器具１Ａ（変形例１）の場合、後壁１２の背面にも、上記別のプレート１０１が後方から取り付けられる。そして、左右の側壁１３は、その後端にも、互いに近づく方向に突出する突片１３０を有している。後端の突片１３０も、対応する取付ばね１０２が本体１００の後方から挿入され得る切欠凹部１３７を有している。更に、各側壁１３は、その内側面において、後端の突片１３０にある切欠凹部１３７を通った取付ばね１０２が引っ掛かる引掛部１３８を有している。
【００８９】
以下、本体１００の前方からプレート１０１が引っ掛けられる一対の引掛部１３８を、一対の「前側引掛部１３８Ａ」と呼び、本体１００の後方から別のプレート１０１が引っ掛けられる一対の引掛部１３８を、一対の「後側引掛部１３８Ｂ」と呼ぶこともある。
【００９０】
本実施形態では、本体１００を前後方向に沿って見たときに、右側の側壁１３にある前側引掛部１３８Ａと後側引掛部１３８Ｂは、それらの中間点が、当該側壁１３の上下方向における中央に位置するように配置されている。同様に、左側の側壁１３にある前側引掛部１３８Ａと後側引掛部１３８Ｂは、それらの中間点が、当該側壁１３の上下方向における中央に位置するように配置されている。言い換えれば、前側引掛部１３８Ａと後側引掛部１３８Ｂとだけに着目すれば、各側壁１３は、その厚み方向（左右方向）に沿って見たときに、点対称である。
【００９１】
本体１００が、上述した位置関係を有している合計４つの引掛部１３８を有しているため、同一の構造を有する２つのプレート１０１を、本体１００に対してそれぞれ前方と後方とから取付可能となった両面タイプの筐体１０が提供される。特に、図１〜図３及び図６に示す片面タイプの誘導灯器具１と、図８に示す両面タイプの誘導灯器具１Ａとにおいて、プレート１０１及び本体１００を共通化することができ、製造コストの削減を図ることができる。
【００９２】
（２．９）プレートの傾斜構造
ところで、表示板２０は、そのピクトグラムの視認性、及び光源ブロック２１から放射される光の導光性等を考慮して、その前面が下方に向かってやや傾斜するように構成されている。本実施形態では、表示板２０を露出する窓１１０を有したプレート１０１も、その前面１０１０が下方に向かってやや傾斜するように構成されている。
【００９３】
具体的には、筐体１０のプレート１０１は、図７に示すように、傾斜した前面１０１０を有している。前面１０１０は、その上端から下端に行くほど本体１００に近づくように傾斜している。前面１０１０の上下方向に対する傾斜角度は、表示板２０の前面の上下方向に対する傾斜角度と概ね同じとなるように規定している。
【００９４】
したがって、例えばプレート１０１の前面１０１０が傾斜していない場合に比べて、上述した視認性及び導光性を維持しつつ、表示板２０と一体感のあるプレート１０１を提供することができる。
【００９５】
（３）変形例
以下に、いくつかの変形例について列記する。以下では上述した実施形態を「基本例」と呼ぶ。
【００９６】
基本例では、取付台１５が設けられていて、第１収容部１０Ａ、第２収容部１０Ｂ、第１配線部１０Ｃ、及び第２配線部１０Ｄは、取付台１５によって構成されているが、取付台１５は、筐体１０の必須の構成要素ではない。第１収容部１０Ａ、第２収容部１０Ｂ、第１配線部１０Ｃ、及び第２配線部１０Ｄは、筐体１０の本体１００に直接設けられてもよい。同様に、壁部Ｗ１は、取付台１５の内底面から突出しているが、筐体１０の本体１００の内底面に直接設けられてもよい。
【００９７】
基本例では、第１配線部１０Ｃが第１収容部１０Ａ及び第２収容部１０Ｂよりも上側に配置されている。しかし、第１配線部１０Ｃは、第１収容部１０Ａ及び第２収容部１０Ｂよりも下側に配置されていてもよい。ただし、筐体１０の電線挿通孔及び信号線挿通孔の位置、並びに光源装置３の位置等を考慮すれば、基本例のように、第１配線部１０Ｃが第１収容部１０Ａ及び第２収容部１０Ｂよりも上側に配置されていることが望ましい。
【００９８】
基本例では、誘導灯器具１は、スピーカ８を備える誘導音付誘導灯器具であったが、図９及び図１０に示すように、スピーカ８を備えていない誘導灯器具１Ｂ（変形例２）であってもよい。言い換えると、基本例では、機能部として、ＬＥＤ３０とスピーカ８の両方が設けられているが、いずれか一方のみが設けられていてもよい。また、図１１に示すように、２つのプレート１０１がそれぞれ本体１００の前面と後面とを覆うように設けられた両面タイプで、かつ、スピーカ８を備えていない誘導灯器具１Ｃ（変形例３）であってもよい。なお、スピーカ８を備えていない誘導灯器具１Ｂ、１Ｃにおいても、基本例で説明した取付台１５が、適用されることが好ましい。
【００９９】
基本例の誘導灯器具１、並びに変形例１〜３の誘導灯器具１Ａ〜１Ｃは、天井材又は壁材に直付けされる誘導灯器具であるため、光源装置３を露出する挿通穴１４は下側の側壁１３に設けられて、ＬＥＤ３０の光軸が下方を向いていた。しかし、例えば、図１２に示すように、光源装置３を露出する挿通穴１４は、プレート１０１の下部に設けられて、ＬＥＤ３０の光軸が前方を向いている、スピーカ８付きの誘導灯器具１Ｄ（変形例４）であってもよい。あるいは、図１３に示すように、光源装置３を露出する挿通穴１４がプレート１０１の下部に設けられて、ＬＥＤ３０の光軸が前方を向いている、スピーカ８を備えていない誘導灯器具１Ｅ（変形例５）であってもよい。要するに、変形例４、５の誘導灯器具１Ｄ、１Ｅは、壁材等の構造体Ｔ１に埋め込みされる埋込形の誘導灯器具である。
【０１００】
（４）利点
以上説明したように、第１の態様に係る誘導灯器具（１、１Ａ〜１Ｅ）は、光源（ＬＥＤ２１１）と表示板（２０）と点灯ブロック（２２）と機能部（例えばＬＥＤ３０）と駆動ブロック（４）と端子台（第１端子台７１）と筐体（１０）とを備える。表示板（２０）は、光源（ＬＥＤ２１１）により照らされる。点灯ブロック（２２）は、光源（ＬＥＤ２１１）を点灯制御する。機能部は、誘導機能を実行する。駆動ブロック（４）は、特定の事象が発生したときに機能部を駆動する。筐体（１０）は、少なくとも点灯ブロック（２２）、駆動ブロック（４）及び端子台を収容する。筐体（１０）は、開放された一面（前面）を有する本体（１００）と、当該一面を覆うプレート（１０１）と、を有する。表示板（２０）は、その表示面がプレート（１０１）から露出するように筐体（１０）に支持される。筐体（１０）は、本体（１００）内において、第１収容部（１０Ａ）と、第２収容部（１０Ｂ）と、第１配線部（１０Ｃ）と、第２配線部（１０Ｄ）とを有する。第１収容部（１０Ａ）には、点灯ブロック（２２）が収容される。第２収容部（１０Ｂ）には、駆動ブロック（４）が収容される。第１配線部（１０Ｃ）には、端子台、及び端子台の一次側に接続される第１電線（Ｌ１）が配置される。第２配線部（１０Ｄ）には、端子台の二次側と点灯ブロック（２２）及び駆動ブロック（４）の各々とを繋ぐ第２電線（Ｌ２）が配置される。第１収容部（１０Ａ）及び第２収容部（１０Ｂ）は、本体（１００）の一面（前面）と交差する第１の方向から見たときに、並んで配置される。第１配線部（１０Ｃ）は、上記第１の方向から見たときに、第１収容部（１０Ａ）及び第２収容部（１０Ｂ）が並ぶ並び方向と交差する第２の方向における第１収容部（１０Ａ）及び第２収容部（１０Ｂ）よりも一方の側に配置される。第１の態様によれば、例えば誘導灯器具（１、１Ａ〜１Ｅ）の施工時にプレート（１０１）が外された状態において、配線作業の作業性の向上を図ることができる。
【０１０１】
第２の態様に係る誘導灯器具（１、１Ａ〜１Ｅ）に関して、第１の態様において、端子台は、第２電線（Ｌ２）が導出される導出口（７１２）を有し、導出口（７１２）が第１配線部（１０Ｃ）の縁の側を向くように配置されていることが好ましい。第２の態様によれば、例えば誘導灯器具（１、１Ａ〜１Ｅ）の施工時に、施工者にとって、導出口７１２から導出している第２電線（Ｌ２）が邪魔になり難くなり、配線作業の作業性が更に向上される。
【０１０２】
第３の態様に係る誘導灯器具（１、１Ａ〜１Ｅ）に関して、第１の態様又は第２の態様において、第１収容部（１０Ａ）及び第２収容部（１０Ｂ）は、上記第１の方向から見たときに互いに隙間（Ｇ１）を空けて並んで配置されることが好ましい。第２配線部（１０Ｄ）の少なくとも一部（第３領域１０Ｄ３）は、隙間（Ｇ１）に配置されていることが好ましい。第３の態様によれば、第２電線（Ｌ２）が邪魔になり難くなり、配線作業の作業性が更に向上される。また、第２電線（Ｌ２）が、筐体（１０）内において無用に引き回される可能性を抑制できる。
【０１０３】
第４の態様に係る誘導灯器具（１、１Ａ〜１Ｅ）に関して、第３の態様において、筐体（１０）は、第２配線部（１０Ｄ）に配置される第２電線（Ｌ２）が第１配線部（１０Ｃ）へ入り込むことを規制する壁部（Ｗ１）を、更に有することが好ましい。壁部（Ｗ１）は、第２配線部（１０Ｄ）の上記一部（第３領域１０Ｄ３）と第１配線部（１０Ｃ）との間に配置されていることが好ましい。第４の態様によれば、第１電線（Ｌ１）と第２電線（Ｌ２）とが、筐体（１０）内で絡み合う可能性を更に低減できる。
【０１０４】
第５の態様に係る誘導灯器具（１、１Ａ〜１Ｅ）は、第１〜第４の態様のいずれか１つにおいて、端子台である第１端子台（７１）に加えて、第１配線部（１０Ｃ）に配置されて信号線（Ｓ１）が接続される第２端子台（７２）を、更に備えることが好ましい。筐体（１０）は、当該誘導灯器具（１、１Ａ〜１Ｅ）を構造体（Ｔ１）へ取り付けるための一対の取付ボルト（Ｔ１０）がそれぞれ挿入される一対の孔（１０３）を、更に有することが好ましい。第１配線部（１０Ｃ）は、上記第１の方向から見たときに、第１収容部（１０Ａ）、第２収容部（１０Ｂ）、及び一対の孔（１０３）に挿入された一対の取付ボルト（Ｔ１０）によって囲まれることが好ましい。第５の態様によれば、例えば配線作業時に、第１配線部（１０Ｃ）を利用する施工者の手が、一対の取付ボルトＴ１０に当たるといった事態の発生を抑制することができる。
【符号の説明】
【０１０５】
１、１Ａ〜１Ｅ  誘導灯器具
１０  筐体
１０Ａ  第１収容部
１０Ｂ  第２収容部
１０Ｃ  第１配線部
１０Ｄ  第２配線部
１０３  孔
２０  表示板
２１１  ＬＥＤ（光源）
２２  点灯ブロック
３０  ＬＥＤ（機能部）
４  駆動ブロック
７１  第１端子台（端子台）
７１２  導出口
７２  第２端子台
Ｇ１  隙間
Ｌ１  第１電線
Ｌ２  第２電線
Ｓ１  信号線
Ｔ１  構造体
Ｔ１０  取付ボルト
Ｗ１  壁部
【図１】
2019106268.tif 000003
【図２】
2019106268.tif 000004
【図３】
2019106268.tif 000005
【図４】
2019106268.tif 000006
【図５】
2019106268.tif 000007
【図６】
2019106268.tif 000008
【図７】
2019106268.tif 000009
【図８】
2019106268.tif 000010
【図９】
2019106268.tif 000011
【図１０】
2019106268.tif 000012
【図１１】
2019106268.tif 000013
【図１２】
2019106268.tif 000014
【図１３】
2019106268.tif 000015